(57)【特許請求の範囲】
【請求項１】
光が入射する入射面を両端に有し、一方の前記入射面に入射した光を反射させつつ他方の前記入射面に向かって伝播させて周面から原稿台に照射する主走査方向に延びる導光体と、
前記導光体の両端の前記入射面に光を入射する一対の光源と、
前記導光体の前記周面から出射された光を受けて前記原稿台上の原稿で反射した光を光学系を介して受光する受光部と、
前記導光体の光出射側であって、前記原稿に対する有効な読取領域の両側に配置された一対の白基準板とを備え、
前記導光体は、中央側に設けられ、光量が主走査方向でほぼ均一となる第１の光を前記読取領域として出射する第１の領域と、前記第１の領域よりも端部側に設けられ、前記端部側に向かうに従って、前記第１の光よりも光量が徐々に大きくなる第２の光を出射する第２の領域とを有し、
前記一対の白基準板は、前記第２の領域に対応する領域であって、前記第２の光の光量が前記第２の領域において最大となる位置を避けて配置され、
前記導光体の前記第２の領域は、主走査方向の長さが前記第１の領域よりも小さい領域である、画像読取装置。
【請求項２】
前記導光体は、前記主走査方向に延びる透光性部材と、前記透光性部材の周面の前記原稿台と反対側の領域に形成された反射体とを備えた請求項１に記載の画像読取装置。
【請求項３】
前記反射体は、前記主走査方向において異なるパターンを有する請求項２に記載の画像読取装置。
【請求項４】
前記導光体は、前記主走査方向に延びる透光性部材であり、前記透光性部材の前記主走査方向において中央部の光透過率が両端部の光透過率よりも小さい請求項１乃至３のいずれか１項に記載の画像読取装置。
【請求項５】
前記導光体から出射され、前記一対の白基準板で反射した光の光量データを前記受光部から取得する第１及び第２の取得部と、前記第１及び第２の取得部によって取得された前記一対の白基準板で反射した光の光量に基づいて補正データを生成する生成部とを備えた請求項１乃至４のいずれか１項に記載の画像読取装置。
【請求項６】
前記第１及び第２の取得部によって取得された光量データに基づいて前記一対の光源の故障を判定する光源故障判定部を備えた請求項１乃至５のいずれか１項に記載の画像読取装置。
【請求項７】
原稿から画像を読み取る請求項１乃至６のいずれか１項に記載の画像読取装置と、
前記画像読取装置によって読み取られた画像に基づいて感光体を露光することにより前記感光体上に静電潜像を形成する露光部と、
前記感光体上に形成された静電潜像を現像してトナー像を形成する現像部と、
前記トナー像を用紙に転写する転写部と、
前記用紙に転写された前記トナー像を定着させる定着部とを備えた画像形成装置。
【発明の詳細な説明】
【技術分野】
【０００１】
本発明は、画像読取装置及び画像形成装置に関する。
【背景技術】
【０００２】
近年、白色ＬＥＤが様々な用途に用いられ、スキャナの光源としても用いられている（例えば、特許文献１参照）。
【０００３】
この特許文献１に記載された画像読取装置は、ＬＥＤの光を読み取り面に導く導光体と、導光体の両端にそれぞれ配置された一対の白色ＬＥＤと、導光体及び一対の白色ＬＥＤを保持したキャリッジと、読み取り面とは異なる位置に配置された白基準板と、白基準板を読み取る位置にキャリッジを移動し、一対の白色ＬＥＤを個別に点灯したときに白基準板で反射した走査１ラインの波形を取得し、取得した走査１ラインの波形に基づいて補正データを生成する手段とを備える。
【先行技術文献】
【特許文献】
【０００４】
【特許文献１】特開２００９−１４１８７２号公報
【発明の概要】
【発明が解決しようとする課題】
【０００５】
本発明の課題は、主走査方向の光量、受光部の感度、及び光学系の特性のばらつきに起因するＳ／Ｎ比の劣化を信号の補正によって抑制する構成と比べて、主走査方向の端部におけるＳ／Ｎ比を改善することができる画像読取装置及び画像形成装置を提供することである。
【課題を解決するための手段】
【０００６】
［１］光が入射する入射面を両端に有し、一方の前記入射面に入射した光を反射させつつ他方の前記入射面に向かって伝播させて周面から原稿台に照射する主走査方向に延びる導光体と、前記導光体の両端の前記入射面に光を入射する一対の光源と、前記導光体の前記周面から出射された光を受けて前記原稿台上の原稿で反射した光を光学系を介して受光する受光部と、前記導光体の光出射側であって、前記原稿に対する有効な読取領域の両側に配置された一対の白基準板とを備え、前記導光体は、中央側に設けられ、光量が主走査方向でほぼ均一となる第１の光を前記読取領域として出射する第１の領域と、前記第１の領域よりも端部側に設けられ、前記端部側に向かうに従って、前記第１の光よりも光量が徐々に大きくなる第２の光を出射する第２の領域とを有し、前記一対の白基準板は、前記第２の領域に対応する領域であって、前記第２の光の光量が前記第２の領域において最大となる位置を避けて配置され、前記導光体の前記第２の領域は、主走査方向の長さが前記第１の領域よりも小さい領域である、画像読取装置。
【０００７】
［２］前記導光体は、前記主走査方向に延びる透光性部材と、前記透光性部材の周面の前記原稿台と反対側の領域に形成された反射体とを備えた前記［１］に記載の画像読取装置。
【０００８】
［３］前記反射体は、前記主走査方向において異なるパターンを有する前記［２］に記載の画像読取装置。
【０００９】
［４］前記導光体は、前記主走査方向に延びる透光性部材であり、前記透光性部材の前記主走査方向において中央部の光透過率が両端部の光透過率よりも小さい前記［１］乃至［３］のいずれかに記載の画像読取装置。
【００１０】
［５］前記原稿に対する有効な読取領域の両側に配置された一対の白基準板と、前記導光体から出射され、前記一対の白基準板で反射した光の光量データを前記受光部から取得する第１及び第２の取得部と、前記第１及び第２の取得部によって取得された前記一対の白基準板で反射した光の光量に基づいて補正データを生成する生成部とを備えた前記［１］乃至［４］のいずれかに記載の画像読取装置。
【００１１】
［６］前記第１及び第２の取得部によって取得された光量データに基づいて前記一対の光源の故障を判定する光源故障判定部を備えた前記［１］乃至［５］のいずれかに記載の画像読取装置。
【００１２】
［７］原稿から画像を読み取る前記［１］乃至［６］のいずれかに記載の画像読取装置と、前記画像読取装置によって読み取られた画像に基づいて感光体を露光することにより前記感光体上に静電潜像を形成する露光部と、前記感光体上に形成された静電潜像を現像してトナー像を形成する現像部と、前記トナー像を用紙に転写する転写部と、前記用紙に転写された前記トナー像を定着させる定着部とを備えた画像形成装置。
【発明の効果】
【００１３】
請求項１、２、４、７に記載の発明によれば、主走査方向の光量、受光部の感度、及び光学系の特性のばらつきに起因するＳ／Ｎ比の劣化を信号の補正によって抑制する構成と比べて、主走査方向の端部におけるＳ／Ｎ比を改善することができる。
【００１４】
請求項３に記載の発明によれば、反射体のパターンを変えるだけで主走査方向の光量分布を変更することができる。
【００１５】
請求項５に記載の発明によれば、一方の白基準板だけを用いて補正データを生成する場合と比べて正確な補正データを生成することができる。
【００１６】
請求項６に記載の発明によれば、光源故障検出手段を別個に設けなくても光源の故障を検出することができる。
【図面の簡単な説明】
【００１７】
【図１】図１は、本発明の第１の実施の形態に係る画像読取装置の構成例を示す図である。
【図２】図２（ａ）は、光源及び導光体の配置例を示す正面図、図２（ｂ）は、導光体の側面図である。
【図３】図３（ａ）〜（ｃ）は、導光体の光学特性を説明するための図である。
【図４】図４は、第１及び第２の白基準板の配置関係を説明するための平面図である。
【図５】図５は、導光体から原稿に照射される光量分布を示す図である。
【図６】図６は、画像読取装置の制御系の概略を示すブロック図である。
【図７】図７は、光源の接続回路を示す図である。
【図８】図８は、表面用ラインセンサの構成及び表面画像読取制御部の概略の構成を示すブロック図である。
【図９】図９は、第１の実施の形態に係る画像読取装置の動作を示すフローチャートである。
【図１０】図１０は、本発明の第２の実施の形態に係る表面画像読取制御部の概略の構成を示すブロック図である。
【図１１】図１１は、第２の実施の形態に係る画像読取装置の動作を示すフローチャートである。
【図１２】図１２は、本発明の第３の実施の形態に係る画像形成装置の構成例を示す図である。
【発明を実施するための形態】
【００１８】
以下、本発明の実施の形態について図面を参照して説明する。なお、各図中、実質的に同一の機能を有する構成要素については、同一の符号を付してその重複した説明を省略する。
【００１９】
［第１の実施の形態］
図１は、本発明の第１の実施の形態に係る画像読取装置の構成例を示す図である。
【００２０】
この画像読取装置１は、後述する原稿配置台３６に原稿２０を搬送する原稿搬送部２と、原稿２０の表面２０ａの画像を光学的に読み取る表面画像読取部３と、原稿搬送部２に設けられ、原稿２０の裏面２０ｂの画像を光学的に読み取る裏面画像読取部４と備える。
【００２１】
原稿搬送部２及び裏面画像読取部４は、原稿配置台３６に対して開閉可能な原稿カバー１７に設けられている。
【００２２】
また、画像読取装置１は、表面画像読取部３の光学系を保持する後述するキャリッジ３７Ａ、３７Ｂを固定とし、原稿搬送部２によって原稿２０をライン状の第１の読取領域３ａを通る副走査方向Ａに搬送させて原稿２０の表面２０ａから画像を読み取る「第１のモード」と、原稿２０を原稿配置台３６上に配置して固定とし、キャリッジ３７Ａ、３７Ｂを矩形状の第２の読取領域３ｂに対して副走査方向Ａに移動させて原稿２０の表面２０ａから画像を読み取る「第２のモード」と、原稿搬送部２によって原稿２０を原稿配置台３６に搬送しながら原稿２０の表面２０ａから画像を読み取るとともに、原稿２０の裏面２０ｂから画像を読み取る「第３のモード」とを有する。
【００２３】
（原稿搬送部）
原稿搬送部２は、画像が記録された原稿２０が配置される給紙台２１と、搬送された原稿２０が排出される排紙台２２と、原稿２０を給紙台２１から排紙台２２へ搬送する搬送機構２３とを備える。
【００２４】
搬送機構２３は、給紙台２１に配置された複数の原稿２０の束から原稿２０を１枚ずつ分離する分離ロール２３０と、分離した原稿２０を搬送する搬送ロール２３１と、原稿２０を第１の読取領域３ａに搬送する読取ロール２３２と、原稿２０を裏面画像読取部４に案内する案内ロール２３３と、原稿２０を排紙台２２に排出する排出ロール２３４とを備える。
【００２５】
（表面画像読取部）
表面画像読取部３は、照明光を発生する左右一対の光源３０Ａ、３０Ｂと、光源３０Ａ、３０Ｂからの照明光を第１又は第２の読取領域３ａ、３ｂに導く導光体３１と、光源３０Ａ、３０Ｂからの照明光が第１又は第２の読取領域３ａ、３ｂにおける原稿２０の表面２０ａで反射した反射光を反射する第１乃至第３のミラー３２Ａ〜３２Ｃと、第１乃至第３のミラー３２Ａ〜３２Ｃに導かれた反射光を集光する縮小光学系のレンズ３３と、レンズ３３により集光された光を受光する受光部の一例である表面用ラインセンサ３４とを備える。
【００２６】
表面用ラインセンサ３４は、例えばＣＣＤ(Charge Coupled Device)ラインセンサを用いることができるが、これに限られるものではなく、ＣＭＯＳ(Complementary Metal-Oxide Semiconductor)イメージセンサ等の他の固体撮像素子でもよい。
【００２７】
また、表面画像読取部３は、光源３０Ａ、３０Ｂ、導光体３１、第１乃至第３のミラー３２Ａ〜３２Ｃ、レンズ３３及び表面用ラインセンサ３４を収容する筐体３５を有し、筐体３５の上部にはガラス等の光透過性部材からなる原稿配置台３６を設けている。
【００２８】
光源３０Ａ、３０Ｂ、導光体３１及び第１のミラー３２Ａは、副走査方向Ａに移動可能な第１のキャリッジ３７Ａに固定され、第２のミラー３２Ｂ及び第３のミラー３２Ｃは、第２のキャリッジ３７Ｂに固定されている。原稿配置台３６上の原稿面から表面用ラインセンサ部３４の受光面までの光路長が常に一定に保持されるように、第２のキャリッジ３７Ｂは、第１のキャリッジ３７Ａの１／２の移動量で副走査方向Ａに移動可能に構成されている。第１及び第２のキャリッジ３７Ａ、３７Ｂは、原稿配置台３６に配置された原稿２０の表面２０ａの画像を読み取る場合には、図１に示す位置に不図示のモータにより副走査方向Ａに移動するように構成されている。
【００２９】
原稿配置台３６の第１の読取領域３ａの両端部には、第１及び第２の白基準板３８Ａ、３８Ｂが設けられ、第２の読取領域３ｂの近傍には主走査方向Ｂに沿って第３の白基準板３８Ｃが設けられている。第１乃至第３の白基準板３８Ａ〜３８Ｃの位置関係の詳細については、後述する。
【００３０】
第１乃至第３の白基準板３８Ａ〜３８Ｃは、例えば白色の樹脂板、白塗装された金属板等を用いることができる。
【００３１】
（裏面画像読取部）
裏面画像読取部４は、照明光を発生する光源４０と、光源４０からの照明光が原稿２０の裏面２０ｂで反射した反射光を集光する等倍光学系のロッドレンズアレイ４１と、ロッドレンズアレイ４１により集光された反射光を受光する受光部の一例である裏面用ラインセンサ４２と、裏面用ラインセンサ４２が実装された基板４３と、搬送路を介してロッドレンズアレイ４１に対向して配置された白基準板４４とを備える。
【００３２】
光源４０は、例えば蛍光ランプ、キセノンランプや、主走査方向に沿って配列された複数のＬＥＤ（Light Emitting Diode）等を用いることができる。
【００３３】
裏面用ラインセンサ４２は、例えばＣＣＤ(Charge Coupled Device)ラインセンサを用いることができるが、これに限られるものではなく、ＣＭＯＳ(Complementary Metal-Oxide Semiconductor)イメージセンサ等の他の固体撮像素子でもよい。
【００３４】
白基準板４４は、例えば白色の樹脂板、白塗装された金属板等を用いることができる。
【００３５】
（光源及び導光体）
図２（ａ）は、光源３０Ａ、３０Ｂ及び導光体３１の配置例を示す正面図、図２（ｂ）は、導光体３１の側面図である。図３（ａ）〜（ｃ）は、導光体３１の光学特性を説明するための図である。
【００３６】
表面画像読取部３の縮小光学系のレンズ３３は、一般に、コサイン四乗則といった特性上、主走査方向Ｂの中央部の光量が多く明るいが、主走査方向Ｂの端部にあっては光量が少なく暗くなるという特性がある。そのような特性を改善するために、本実施の形態の導光体３１は、表面用ラインセンサ３４の受光面で主走査方向Ｂの光量分布がほぼ均一になるように周面の両端部から原稿２０の表面（原稿面）２０ａに照射される光の光量が周面の中央部から原稿面に照射される光の光量よりも大きい光学特性を有する。このような光学特性を有する導光体３１は、例えば長手方向（主走査方向）において中央部の反射光量を両端部の反射光量よりも大きくすることで実現することができる。
【００３７】
導光体３１は、図２（ａ）、（ｂ）に示すように、例えば断面円形を有し、石英等から形成された透光性部材３１０と、透光性部材３１０の周面３１０ａの原稿面２０ａと反対側の領域に形成された反射体３１１とを備える。反射体３１１は、例えばアルミニウム等からなる金属を蒸着させたものである。また、透光性部材３１０の両端面３１０ｂには、それぞれ光源３０Ａ、３０Ｂが配置されている。なお、反射体３１１は、主走査方向において同一のパターンを有するものでもよく、異なるパターンを有するものでもよい。また、反射体３１１を分割して複数の反射体３１１から構成し、各反射体３１１の大きさや密度を変えることで主走査方向の光量分布を変えてもよい。
【００３８】
光源３０Ａ、３０Ｂは、白色ＬＥＤランプを用いることができる。白色ＬＥＤランプは、青色光を発生する青色ＬＥＤと、青色ＬＥＤから発生した青色光の一部を黄色光に変換する蛍光体を含むレンズとから構成されている。青色ＬＥＤから発生した青色光は、その一部が蛍光体によって黄色光に変換され、青色光と黄色光が合成されて白色光が得られる。なお、光源３０Ａ、３０Ｂは、白色ＬＥＤに限らず、他の色光を発生するＬＥＤでもよい。また、光源３０Ａ、３０Ｂを複数のＬＥＤから構成してもよい。例えば、赤色光を発生する赤色ＬＥＤと、青色光を発生する青色ＬＥＤと、緑色光を発生する緑色ＬＥＤとを１つの光源３０Ａ、３０Ｂとして用いてもよい。
【００３９】
図２（ａ）において、導光体３１の透光性部材３１０中の実線は、ＬＥＤから出射した光が反射面で反射せずに原稿２０に照射した光（直接入射光）３０ａを示し、導光体３１の透光性部材３１０中の破線は、ＬＥＤから出射した光が反射体３１１で反射して原稿２０に照射した光（間接入射光）３０ｂを示す。図３（ａ）に示す直接入射光３０ａと図３（ｂ）に示す間接入射光３０ｂとを合成した図３（ｃ）に示す原稿面入射光３０ｃが原稿２０に照射する光となる。図３（ｃ）に示すように、本構成によれば、主走査方向Ｂの端部の光量を中央部よりも増やすことができ、これにより表面用ラインセンサ３４の受光面で主走査方向の光量分布がほぼ均一になる。
【００４０】
（白基準板の位置）
第１及び第２の白基準板３８Ａ、３８Ｂの位置について、図４及び図５を参照して説明する。図４は、第１及び第２の白基準板３８Ａ、３８Ｂの配置関係を説明するための平面図である。図５は、導光体３１から原稿２０に照射される光量分布を示す図である。
【００４１】
原稿配置台３６には、図４に示すように、原稿搬送部２によって搬送された原稿２０に対する第１の読取領域３ａが主走査方向Ｂに沿ってライン状に設けられ、原稿配置台３６上に配置された原稿２０に対する第２の読取領域３ｂが原稿配置台３６の中央に設けられている。
【００４２】
第１及び第２の白基準板３８Ａ、３８Ｂは、図４に示すように、第１の読取領域３ａの両端部に設けられている。第３の白基準板３８Ｃは、第２の読取領域３ｂの近傍に主走査方向Ｂに沿って設けられている。
【００４３】
第１及び第２の白基準板３８Ａ、３８Ｂは、図５に示すように、原稿読取有効領域の外側の白基準配置領域に納まるように配置される。白基準配置領域は、第１及び第２の白基準板３８Ａ、３８Ｂ内での光量変動が許容値（例えば、２．５％）以下となるように幅（例えば１５ｍｍ）が決められる。本実施の形態の場合、第１及び第２の白基準板３８Ａ、３８Ｂの幅を５ｍｍとし、第１及び第２の白基準板３８Ａ、３８Ｂを単位長さ当たりの光量変動量が０．５％／ｍｍを超える位置を避けて配置した。単位長さ当たりの光量変動量が０．５％／ｍｍを超えると、導光体３１、光源３０Ａ、３０Ｂの位置精度によって感度が高くなり、補正精度が悪くなる。
【００４４】
（制御系）
図６は、画像読取装置１の制御系の概略を示すブロック図である。この画像読取装置１は、画像読取装置１全体を制御する主制御部１０と、原稿搬送部２を制御する駆動制御部１１と、表面画像読取部３の読み取りを制御する表面画像読取制御部１２と、裏面画像読取部４の読み取りを制御する裏面画像読取制御部１３とを備える。主制御部１０には、操作パネル１４が接続されている。
【００４５】
図７は、光源の接続回路を示す図である。光源３０Ａ、３０Ｂを構成する白色ＬＥＤランプが直列に接続され、抵抗１５を介して接地されている。表面画像読取制御部１２から点灯指令信号を電流源１６に出力することにより、光源３０Ａ、３０Ｂの白色ＬＥＤランプが点灯する。
【００４６】
（表面画像読取制御部）
図８は、表面用ラインセンサ３４の構成及び表面画像読取制御部１２の概略の構成を示すブロック図である。
【００４７】
（表面用ラインセンサ）
表面用ラインセンサ３４は、図８に示すように、複数の光電変換素子が主走査方向に沿って配列されている。表面用ラインセンサ３４は、原稿２０の表面２０ａからの反射光を受光する複数の光電変換素子から構成された主受光部３４ａと、第１の白基準板３８Ａからの反射光を受光する複数の光電変換素子から構成された第１の副受光部３４ｂと、第２の白基準板３８Ｂからの反射光を受光する複数の光電変換素子から構成された第２の副受光部３４ｃとを備える。
【００４８】
（表面画像読取制御部）
表面画像読取制御部１２は、図８に示すように、第１及び第２の白基準データ取得部１２０Ａ、１２０Ｂ、画像データ取得部１２１、平均値算出部１２２、平均値格納部１２３、補正データ生成部１２４、補正データ格納部１２５、信号レベル補正部１２６及び信号処理部１２７を備える。
【００４９】
第１の白基準データ取得部１２０Ａは、表面用ラインセンサ３４の第１の副受光部３４ｂの各光電変換素子から出力された信号をＡ／Ｄ変換し、それらを平均化して第１の白基準データとして取得する。
【００５０】
第２の白基準データ取得部１２０Ｂは、表面用ラインセンサ３４の第２の副受光部３４ｃの各光電変換素子から出力された信号をＡ／Ｄ変換し、それらを平均化して第２の白基準データとして取得する。
【００５１】
画像データ取得部１２１は、表面用ラインセンサ３４の主受光部３４ａの各光電変換素子から出力された信号をＡ／Ｄ変換し、それらを画像データとして取得する。
【００５２】
平均値算出部１２２は、第１及び第２の白基準データ取得部１２０Ａ、１２０Ｂが取得した第１及び第２の白基準データを平均化して得られた平均値を平均値格納部１２３に格納する。
【００５３】
補正データ生成部１２４は、第３の白基準板３８Ｃから読み取ったときの表面用ラインセンサ３４の出力データに基づいてシェーディングを補正するためのシェーディング補正データを生成し、補正データ格納部１２５に格納する。また、補正データ生成部１２４は、平均値格納部１２３に格納されている前回の平均値と今回平均値算出部１２２によって算出された平均値とに基づいて、主走査方向Ｂの読取特性のばらつきを補正するための読取補正データを生成し、補正データ格納部１２５に格納する。具体的には、前回の平均値Ｄ３’と今回の平均値Ｄ３との比（Ｄ３’／Ｄ３）を求め、それを読取補正データとする。なお、他の読取補正データとして、Ｄ３’−Ｄ３を求め、画像データの信号レベルに読取補正データ（Ｄ３’−Ｄ３）を足してもよい。
【００５４】
信号レベル補正部１２６は、画像データ取得部１２１から出力される画像データの信号レベルを、補正データ格納部１２５に格納されているシェーディング補正データ及び光量補正データに基づいて補正する信号処理を行う。具体的には、画像データ取得部１２１から出力される画像データの信号レベルにショーディング補正データと読取補正データ（比Ｄ３’／Ｄ３）を掛けて補正する。
【００５５】
信号処理部１２７は、信号レベル補正部１２６により信号レベルの補正が行われた画像データを処理して画像信号として出力する。
【００５６】
平均値格納部１２３及び補正データ格納部１２５は、ＲＯＭ（Read Only Memory）やＲＡＭ（Random Access Memory）等により構成されている。
【００５７】
（第１の実施の形態の動作）
次に、図９のフローチャートに従って、第１の実施の形態の動作を説明する。
【００５８】
ユーザが複数の原稿２０を束にして給紙台２１に配置し、操作パネル１４を操作して、例えば第１のモードを選択し、操作パネル１４に設けられた図示しないスタートボタンを押すと、表面画像読取制御部１２は、主制御部１０の制御の下に、図示しないモータを制御して第１及び第２のキャリッジ３７Ａ、３７Ｂを第３の白基準板３８Ｃを読み取る位置に移動させる。表面画像読取制御部１２は、表面画像読取部３を制御して第３の白基準板３８Ｃを読み取る。画像データ取得部１２１は、表面用ラインセンサ３４の主受光部３４ａの各光電変換素子が出力した信号をＡ／Ｄ変換し、それらを白基準データとして取得する。補正データ生成部１２４は、画像データ取得部１２１が取得した白基準データからシェーディング補正データを生成し、補正データ格納部１２５に格納する（Ｓ８）。
【００５９】
次に、表面画像読取制御部１２は、図示しないモータを制御して第１及び第２のキャリッジ３７Ａ、３７Ｂを図１に示す位置、すなわち第１の読取領域３ａを読み取る位置に移動させる。駆動制御部１１は、原稿搬送部２を制御して給紙台２１に配置された原稿２０を１枚ずつ取り込む（Ｓ１０）。
【００６０】
１枚目の原稿２０が第１の読取領域３ａを通過するとき、１枚目の原稿２０の表面２０ａを読み取ると同時に、表面用ラインセンサ３４の第１の副受光部３４ｂの各光電変換素子は、第１の白基準板３８Ａで反射した光の光量に応じた信号を出力する。第１の白基準データ取得部１２０Ａは、第１の副受光部３４ｂの各光電変換素子が出力した信号をＡ／Ｄ変換し、それらを平均化して第１の白基準データＤ１として取得する。
【００６１】
第２の副受光部３４ｃの各光電変換素子は、第２の白基準板３８Ｂで反射した光の光量に応じた信号を出力する。第２の白基準データ取得部１２０Ｂは、第２の副受光部３４ｃの各光電変換素子が出力した信号をＡ／Ｄ変換し、それらを平均化して第２の白基準データＤ２として取得する（Ｓ１２）。
【００６２】
平均値算出部１２２は、第１及び第２の白基準データ取得部１２０Ａ、１２０Ｂが取得した第１及び第２の白基準データＤ１、Ｄ２の平均値Ｄ３を算出し、その平均値Ｄ３を平均値格納部１２３に格納する（Ｓ１４）。
【００６３】
表面２０ａの画像が読み取られた原稿２０は、駆動制御部１１の制御により排紙台２２に排出される（Ｓ１６）。
【００６４】
表面用ラインセンサ３４の主受光部３４ａの各光電変換素子は、１枚目の原稿２０の表面２０ａで反射した光の光量に応じた信号を出力する。画像データ取得部１２１は、主受光部３４ａの各光電変換素子が出力した信号をＡ／Ｄ変換し、それらを画像データとして取得する（Ｓ１８）。
【００６５】
補正データ生成部１２４は、平均値格納部１２３に格納されている平均値Ｄ３を前回の平均値Ｄ３’とし、この前回の平均値Ｄ３’と今回平均値算出部１２２によって算出された平均値Ｄ３との比（Ｄ３’／Ｄ３）を求め、その比（Ｄ３’／Ｄ３）を読取補正データとして補正データ格納部１２５に格納する（Ｓ２０）。
【００６６】
信号レベル補正部１２６は、画像データ取得部１２１から出力された画像データの信号レベルに、補正データ格納部１２５に格納されているシェーディング補正データと読取補正データ（比Ｄ３’／Ｄ３）を掛けて信号処理部１２７に出力する（Ｓ２１）。
【００６７】
信号処理部１２７は、信号レベル補正部１２６により信号レベルの補正が行われた画像データを処理して画像信号として出力する。
【００６８】
駆動制御部１１は、次の原稿２０が給紙台２１に存在するか否かを判断し（Ｓ２２）、原稿２０が給紙台２１に存在するときは（Ｓ２２：Ｙｅｓ）、給紙台２１上に原稿２０が無くなるまで（Ｓ２２：Ｎｏ）、２枚目以降の原稿２０に対して前述したのと同様に原稿の取込（Ｓ１０）、白基準データＤ１、Ｄ２の取得（Ｓ１２）、平均値Ｄ３の算出（Ｓ１４）、原稿２０の排出（Ｓ１６）、画像データの取得（Ｓ１８）、読取補正データの生成（Ｓ２０）、シェーディング補正、読取補正（Ｓ２１）を行う。
【００６９】
［第２の実施の形態］
図１０は、本発明の第２の実施の形態に係る表面画像読取制御部の概略の構成を示すブロック図である。
【００７０】
本実施の形態は、平均値算出部１２２の前段に光源故障判定部１２８を設けたものであり、他は第１の実施の形態と同様に構成されている。
【００７１】
光源故障判定部１２８は、第１の白基準データ取得部１２０Ａが取得した第１の白基準データと、第２の白基準データ取得部１２０Ｂが取得した第２の白基準データに基づいて、光源３０Ａ、３０Ｂが故障しているかどうかを判定する。具体的には、光源３０Ａ、３０Ｂの一方の光源３０Ａ、３０Ｂが故障している場合には、故障している光源３０Ａ、３０Ｂ側の白基準データが小さい値になることを利用し、光源故障判定部１２８は、第１及び第２の白基準データが基準値より小さい値のとき、小さい値の側の光源３０Ａ、３０Ｂが故障であると判定し、その旨を主制御部１０に通知する。主制御部１０は、光源故障判定部１２８から光源３０Ａ、３０Ｂの一方が故障している旨の通知を受けたとき、その旨を操作パネル１４のタッチパネルに表示する。両方の光源３０Ａ、３０Ｂが故障のときは、両方の白基準データＤ１、Ｄ２が基準値より小さい値となるので、光源故障判定部１２８は、両方の光源３０Ａ、３０Ｂが故障である旨を主制御部１０に通知する。主制御部１０は、両方の光源３０Ａ、３０Ｂが故障である旨を操作パネル１４のタッチパネルに表示する。
【００７２】
（第２の実施の形態の動作）
次に、図１１のフローチャートに従って、第２の実施の形態の動作を説明する。
【００７３】
第１の実施の形態と同様に、シェーディング補正データの生成（Ｓ８）、原稿の取込（Ｓ１０）、白基準データＤ１、Ｄ２の取得（Ｓ１２）を行った後、光源故障判定部１２８は、白基準データＤ１、Ｄ２と基準値と比較し（Ｓ１３ａ）、白基準データＤ１、Ｄ２が基準値より小さい値のとき（Ｓ１３ａ：Ｙｅｓ）、低い値の側の光源３０Ａ、３０Ｂが故障であると判定し、その旨を操作パネル１４にタッチパネルに表示する（Ｓ１３ｂ）。
【００７４】
白基準データＤ１、Ｄ２が基準値より大きい値のとき（Ｓ１３ａ：Ｎｏ）、第１の実施の形態と同様に、平均値Ｄ３の算出（Ｓ１４）、原稿２０の排出（Ｓ１６）、画像データの取得（Ｓ１８）、読取補正データの生成（Ｓ２０）、シェーディング補正、読取補正（Ｓ２１）が行われ、これらの動作が原稿台２１上に原稿２０が無くなるまで行われる。
【００７５】
［第３の実施の形態］
図１２は、本発明の第３の実施の形態に係る画像形成装置の構成例を示す図である。この画像形成装置５は、上記第１又は第２の実施の形態に係る画像読取装置１と、本体部５Ａとを備える。
【００７６】
本体部５Ａは、画像読取装置１によって読み取られた原稿画像を記録媒体としての用紙７０に印刷する画像形成部６と、画像形成部６に用紙７０を供給するトレイ部７とを備える。
【００７７】
原稿カバー１７には、タッチパネル１７１と、原稿の読取、画像の印刷を指示するスタートボタンや原稿の読取、画像の印刷の停止を指示するストップボタン等の操作ボタン１７２とが設けられている。
【００７８】
画像形成部６は、電子写真方式によって原稿画像を用紙に印刷するものであり、循環移動する無端状の中間転写ベルト６０と、中間転写ベルト６０にイエロー（Ｙ），マゼンダ（Ｍ），シアン（Ｃ），ブラック（Ｋ）の各色のトナー画像を転写する第１乃至第４の画像形成ユニット６１Ｙ、６１Ｍ、６１Ｃ、６１Ｋと、画像情報に基づいて変調されたレーザー光を第１乃至第４の画像形成ユニット６１Ｙ、６１Ｍ、６１Ｃ、６１Ｋの後述する感光体ドラム６１０を露光することにより感光体ドラム６１０上に静電潜像を形成する露光部としての光学走査装置６２とを備えている。
【００７９】
各画像形成ユニット６１Ｙ、６１Ｍ、６１Ｃ、６１Ｋは、感光ドラム６１０と、感光ドラム６１０の表面を一様に帯電する帯電器６１１と、感光ドラム６１０の表面に光学走査装置６２によって形成された静電潜像を各色のトナーで現像してトナー画像を形成する現像部としての現像器６１２と、中間転写ベルト６０を感光ドラム６１０に押し付ける一次転写ローラ６１３とを有している。
【００８０】
中間転写ベルト６０は、不図示のモータに連結された駆動ローラ６３によって駆動され、第１の従動ローラ６４Ａ、第２の従動ローラ６４Ｂ及び中間転写ベルト６０に張力を付与するテンションローラ６５によって形成された循環経路に沿って回転する。
【００８１】
また、画像形成部６は、中間転写ベルト６０を挟んで第２の従動ローラ６４Ｂと対向する位置に配置され、中間転写ベルト６０上に形成されたトナー画像をトレイ部７から供給された用紙に転写する転写部としての二次転写ローラ６６と、用紙に転写されたトナー画像を用紙上に転写する定着部としての定着ユニット６７と、定着ユニット６７を通過した用紙７０を排出台６９に排出する排出ローラ６８とを備えている。
【００８２】
定着ユニット６７は、ヒータを内蔵する定着ロータ６７１と、定着ローラ６７１に対して加圧される加圧ローラ６７２とを備える。
【００８３】
トレイ部７は、向き、大きさ、紙質等の異なる用紙７０をそれぞれ収容する第１乃至第３のトレイ７１〜７３を備える。トレイ部７は、第１乃至第３のトレイ７１〜７３のそれぞれに対応して、格納された用紙７０を取り出すためのピックアップローラ７４Ａ〜７４Ｃと、複数の用紙７０が取り出された場合にそれらを分離する分離ローラ７５Ａ〜７５Ｃと、用紙７０さらに下流側へ搬送するレジローラ７６Ａ〜７６Ｃとを備えている。レジローラ７６Ａ〜７６Ｃは、画像形成部６による画像形成のタイミングに同期して動作し、第１乃至第３のトレイ７１〜７３から取り出した用紙７０を搬送路７７に沿って二次転写ローラ６６と転写ベルト６０との間に導くように構成されている。
【００８４】
なお、本発明は上記各実施の形態に限定されず、本発明の要旨を変更しない範囲内で種々に変形実施が可能である。例えば、導光体は、主走査方向に延びる透光性部材であり、透光性部材の主走査方向において中央部の光透過率が両端部の光透過率よりも小さいものを用いてもよい。
【符号の説明】
【００８５】
１…画像読取装置、２…原稿搬送部、３…表面画像読取部、３ａ…第１の読取領域、３ｂ…第２の読取領域、４…裏面画像読取部、５…画像形成装置、５Ａ…本体部、６…画像形成部、７…トレイ部、１０…主制御部、１１…駆動制御部、１２…表面画像読取制御部、１３…裏面画像読取制御部、１４…操作パネル、１５…抵抗、１６…電流源、１７…原稿カバー、２０…原稿、２０ａ…表面、２０ｂ…裏面、２１…給紙台、２２…排紙台、２３…搬送機構、３０Ａ、３０Ｂ…光源、３０ａ…直接入射光、３０ｂ…間接入射光、３０ｃ…原稿面入射光、３１…導光体、３２Ａ〜３２Ｃ…ミラー、３３…レンズ、３４…表面用ラインセンサ、３４ａ…主受光部、３４ｂ…副受光部、３４ｃ…副受光部、３５…筐体、３６…原稿配置台、３７Ａ…第１のキャリッジ、３７Ｂ…第２のキャリッジ、３８Ａ…第１の白基準板、３８Ｂ…第２の白基準板、３８Ｃ…第３の白基準板、４０…光源、４１…ロッドレンズアレイ、４２…裏面用ラインセンサ、４３…基板、４４…白基準板、６０…中間転写ベルト、６１Ｙ…第１の画像形成ユニット、６１Ｍ…第２の画像形成ユニット、６１Ｃ…第３の画像形成ユニット、６１Ｋ…第４の画像形成ユニット、６２…光学走査装置、６３…駆動ローラ、６４Ａ…第１の従動ローラ、６４Ｂ…第２の従動ローラ、６５…テンションローラ、６６…二次転写ローラ、６７…定着ユニット、６８…排出ローラ、７０…用紙、７１…第１のトレイ、７２…第２のトレイ、７３…第３のトレイ、７４Ａ〜７４Ｃ…ピックアップローラ、７５Ａ〜７５Ｃ…分離ローラ、７６Ａ〜７６Ｃ…レジローラ、７７…搬送路、１２０Ａ…第１の白基準データ取得部、１２０Ｂ…第２の白基準データ取得部、１２１…画像データ取得部、１２２…平均値算出部、１２３…平均値格納部、１２４…補正データ生成部、１２５…補正データ格納部、１２６…信号レベル補正部、１２７…信号処理部、１２８…光源故障判定部、２３０…分離ロール、２３１…搬送ロール、２３２…読取ロール、２３３…案内ロール、２３４…排出ロール、３１０…透光性部材、３１１…反射体、３１０ａ…周面、３１０ｂ…端面、６１０…感光ドラム、６１１…帯電器、６１２…現像器、６１３…一次転写ローラ、Ａ…副走査方向、Ｂ…主走査方向、Ｄ１…第１の白基準データ、Ｄ２…第２の白基準データ、Ｄ３…平均値
【図１】
0005740920.tif 000002
【図２】
0005740920.tif 000003
【図３】
0005740920.tif 000004
【図４】
0005740920.tif 000005
【図５】
0005740920.tif 000006
【図６】
0005740920.tif 000007
【図７】
0005740920.tif 000008
【図８】
0005740920.tif 000009
【図９】
0005740920.tif 000010
【図１０】
0005740920.tif 000011
【図１１】
0005740920.tif 000012
【図１２】
0005740920.tif 000013